(57)【要約】【課題】バスマット使用時に、横に倒すとマット台になり、立てるとマット干しになる器具を提供する。【解決手段】四角形のネット板にクリップをつけ、バスマットを固定し、Ｌ字型留め具をつけることで、スタンド機能を有するバスマット衛生器具。【選択図】図１
2006311975.tif 000002
【特許請求の範囲】
【請求項１】
ネット状開口部を有し、任意のバスマットを置くことができるベース体と、ベース体の一側辺左右にそれぞれベース体にほぼ直交する一方向へ突出するように設けられた脚部と、ベース体に設けられた複数のマット止めにより構成され、前記脚部はベース体をバスマットをつり下げた状態で、縦に立設可能であると共にベース体を横にした状態で風呂場入り口敷居の高さよりも短いものであることを特徴とする衛生設備用品。
【請求項２】
立設状態及び配置状態で床接触部に滑り止めを設けたことを特徴とする請求項１記載の衛生設備用品。
【発明の詳細な説明】
【技術分野】
【０００１】本発明は、バスマットの下に敷くと共に、不使用時にはマット干し並びにペットや小さな子供の風呂場侵入を防ぐことができる衛生設備用品に関するものである。
【背景技術】
【０００２】従来、脱衣所の足元にはバスマットを直接敷いたり、簀の子にタオルを敷いていた。
【発明の開示】
【発明が解決しようとする課題】
【０００３】そのために、次のような問題点があった。
バスマットをそのまま使用する際は、使用後に濡れたままのマットを長時間放置しておくことは不衛生であり、洗面時は足裏を冷やしたり、靴下を濡らしてしまっていた。
簀の子を利用する際は、場所をとるため邪魔であり使用後立てるのも移動も困難であった。
【課題を解決するための手段】
【０００４】ネット状開口部を有し、任意のバスマットを置くことができるベース体と、ベース体の側辺左右にそれぞれベース体にほぼ直交する一方向へ突出するように設けられた脚部とベース体に設けられた複数のマット止めにより構成され、前記脚部はベース体をバスマットをつり下げた状態で、縦に立設可能であると共にベース体を横にした状態で風呂場入り口敷居の高さよりも短いものであることを特徴として構成する。
【発明の効果】
【０００５】本発明は、使用時は横に倒すことでバスマット台となり、使用後は立てることでマット干しになる。クリップで挟んでいるためマットがずり落ちず、滑り止めを設けることにより倒れにくい。
本体がネット状であるため通気性があり、バスマットが乾きやすい。
床面に敷き放しになってないので衛生的で場所をとらず、バスマットを移動させる手間が省ける。
また利用時には、ペットや小さな子供の風呂場侵入を防げる。
【発明を実施するための最良の形態】
【０００６】以下、本発明の第一実施の形態について、図１から図５を利用して説明する。
本発明は、ベース体（３）と、ベース体一側辺左右に設けられた脚部と、ベース体に設けられたマット止めと、滑り止めにより構成されている。
ベース体は、図１に示すように、略方形状のフレーム（２）に硬質ネット材（１）を張ったものである。このベース体の大きさとしては、任意のバスマットを置くことができるとともに、できるだけバスマットがはみ出さないものであることが望ましい。
脚部はＬ字状（６）で、図１に示すようにベース体を立てるのに必要な幅を有するものである。この脚部がベース体を横にした状態で下に当たる位置で接着されており、上方に突出するように設けられている。この突出の長さとしては、底面から任意のお風呂場の敷居までの長さよりも短くなっている。
ベース体の前記脚部が設けられた辺に対向する辺の左右には、マット止めが設けられている。図における事例としては、マット止めはボード（４）とバネクリップ（５）から構成されている。ベース体を横にした際の下面にボードが接着固定され、ボード端部にバネにより挟み込むバネクリップが上面側に位置するように設けられている。
滑り止め（７）は、マット止めのボード裏及び脚部の外面に設けられている。この滑り止め（７）はゴムや合成樹脂等の摩擦力を有する素材よりなる。
本発明は以上の構成よりなる。
これを使用するときは、ベース体（３）にバスマットを置き、バネクリップ（５）で挟みこみ固定する。
そして、図３に示すように、お風呂場前の足場に脚部が敷居側壁に面接触した状態で置く。この際、脚部およびボードの下にある滑り止め及び脚部と壁との支えにより、ベース体（３）を安定して固定することができる。また、バスマットがクリップ（５）で固定されているので、バスマットの移動も防ぐことが可能である。これにより、安全に使用することができるととともに、バスマットが直接床に接触しないために、床の汚れや腐食を防止することが可能である。
また、お風呂使用後は、図４に示すようにお風呂場前に脚部突出部がお風呂側を向くようにして立設する。これにより、使用状態から脚部反対側を持ち上げるだけで簡単に操作ができるとともに、逆に使用するときも簡単な操作で使用可能となる。あわせて、脚部が風呂場側に向いているため、ペットや子供などが誤って風呂場に侵入しようとしても倒れず、進入防止の役割も果たす。
これら使用において、バスマットはバスマット止め（５）に固定されているために、ベース体（３）についた状態で吊られる。ベース体（３）はネット構造部を有するために通気性に優れ、バス  マットの乾燥を速めることが可能である。
また、この状態でも脚部に設けられた滑り止め（７）により、安定性が向上する。【０００７】  以下、本発明の第二実施の形態について図６から図８を利用して説明する。
本発明は図６に示すようにベース体（３）となる板状フレームと脚部（８）とマット止めクリップ（５）とフレーム（１１）を固定するクリップにより構成されている。
フレームは図８に示すように固定フレーム（１０）と、この固定フレームと結合することで枠を形成する可動フレーム（９）と、可動フレームに設けられ任意の長さでフレームを固定するスライド部（１２）よりなっている。固定フレーム（１０）は左右共に上部からスライド部を収納できるガイド部となっており左右に固定穴が設けられている。
可動フレーム（９）は、前記固定フレーム（１０）の収納部（１３）に挿入されるスライド部（１２）が左右に設けられたものである。スライド部（１２）には等間隔で貫通孔が設けられている。
フレームクリップ（１１）は前記固定穴及び貫通孔の内径に近似した円柱形の突出部があり、固定穴及び貫通孔に捜入されるものである。
脚部（８）はＬ字型留め具が固定フレーム（１０）の左右に設けられており、ベース体（３）を立てるのに必要な幅を有するものである。マット止めクリップ（５）は可動フレーム（９）の左右に設けられており、フレーム上面側に位置するように設けられている。
脚部（８）のＬ字型留め具裏面にすべり止めが設けられている。
本発明は以上の構成よりなるものである。
これを利用するときは、バスマットをマット止めクリップ（５）で挟み固定する。バスマットのサイズにより、可動フレーム（９）に連結している。スライド部（１２）を調整する事で、任意の高さに設定することができる。調整後フレームクリップ（１１）で固定フレーム（１０）とスライド部（１２）の貫通穴に合わせてフレームの外側より挟み込み、円柱形の突出部を挿入し固定する。【０００８】以下、本発明の第３の実施の形態について図９から図１１を利用して説明する。
本発明は図９で示すように脚部となる台座（１４）と、台座に固定されたベース体となるフレーム（２）とフレームに設けられたボードに固定されたクリップ（５）より構成されている。
台座（１４）は、直角の２辺と曲面の１辺を断面に有する形態である。
台座左右の側面には切り欠かれたストッパー部（１５）がありフレーム（２）を固定するための差込孔（１６）があけられている。台座（１４）はバスマットを挟み、吊す重さに耐える重量である。フレームは図１１で示すようにコの字型をしており、図１０で示すように台座（１４）の底面と垂直に直立するフレーム面から台座（１４）のストッパー部（１５）の差込孔（１６）に差し込まれる先端部分までの間のフレームは曲がった形状である。
フレームの先端を差込孔（１６）に挿入し、ストッパー部（１５）で固定される。
クリップ（５）はフレーム（２）の左右に固定されたボードに設置されており、裏面にすべり止め（７）が設けられている。本発明は以上の構成よりなるものである。
これを使用するときはバスマットをクリップ（５）で挟み固定する。図１０で示すように垂直に立てた状態から横に倒すことが容易にできる。また、横にしたときのフレーム（２）は床に接面する事で安定する。
【図面の簡単な説明】
【０００９】
【図１】本発明の斜視図
【図２】本発明の分解斜視図
【図３】本発明の使用状態を示す斜視図
【図４】本発明の使用状態を示す斜視図
【図５】本発明の設置状態を示す側面図
【図６】本発明の第２事例の斜視図
【図７】本発明の構造を示す斜視図
【図８】本発明の分解斜視図
【図９】本発明の第３事例の斜視図
【図１０】本発明の設置状態を示す側面図
【図１１】本発明の分解斜視図
【符号の説明】
【００１０】  （１）ネット材          （２）フレーム              （３）ベース体
（４）ボード            （５）バネクリップ          （６）Ｌ字型留め具
（７）すべり止め        （８）脚                    （９）可動フレーム
（１０）固定フレーム    （１１）フレームクリップ    （１２）スライド部
（１３）収納部          （１４）台座                （１５）ストッパー部
（１６）差込孔
【図１】
2006311975.tif 000003
【図２】
2006311975.tif 000004
【図３】
2006311975.tif 000005
【図４】
2006311975.tif 000006
【図５】
2006311975.tif 000007
【図６】
2006311975.tif 000008
【図７】
2006311975.tif 000009
【図８】
2006311975.tif 000010
【図９】
2006311975.tif 000011
【図１０】
2006311975.tif 000012
【図１１】
2006311975.tif 000013